(57)【要約】【課題】作業性よく使え、また、塗装不要部の模様が複雑な場合であっても作業性よく使えることができるマスキング材を提供する。【解決手段】塗装時に塗装不要部２２ａを遮蔽するためのマスキング材１であって、遮蔽するべきマスキング範囲２２ａに合致した形状のマスキングシート１０と、該マスキングシート１０の平面性を維持するフレーム材２とを備えている。マスキングシート１０を塗装不要部２２ａに沿って配設した後に塗装を行い、塗装後にマスキング材１を取り外すことにより塗装不要部２２ａのみをマスクして塗装を行うことができる。塗装不要部２２ａの模様が同一であれば、同一マスキング材１を繰り返して使用することができ、また、マスキングシート１０がフレーム材２により平面を維持されて構成されているので、軽量化も図れる。【選択図】図１
2004154616.tif 000002
【特許請求の範囲】
【請求項１】
塗装時に塗装不要部を遮蔽するためのマスキング材であって、遮蔽するべきマスキング範囲に合致した形状のマスキングシートと、該マスキングシートの平面性を維持するフレーム材を備えるマスキング材。
【請求項２】
前記マスキングシートは合成樹脂製であり、かつ、該マスキングシート外縁部は、前記塗装不要部の平面視形状に対応して平面視凹凸模様が形成されていることを特徴とする請求項１記載のマスキング材。
【請求項３】
前記外周縁から延設されて折り曲げることにより前記マスキングシートの外周縁を補強する補強縁が設けられていることを特徴とする請求項２記載のマスキング材。
【請求項４】
前記フレーム材は、箱形の建物ユニットの外壁出隅部に嵌合する入隅形状を有し、該フレーム材の上端には前記外壁出隅部の頂部へ係止するための係止部が設けられていることを特徴とする請求項１記載のマスキング材。
【発明の詳細な説明】
【０００１】
【発明の属する技術分野】
この発明は、塗装時に塗装不要部を遮蔽するためのマスクを備えたマスキング材に関し、さらに詳しくは、建物の外壁に塗装する場合に部分的に塗料のかからない部分を残すためのマスキング材に関する。
【０００２】
【従来の技術】
従来から、塗装時に用いられるマスキング材としては、ビニルシートなどの裏面に粘着剤が施され、その粘着剤が露出しない方向に円柱ロール状に巻かれたものが広く知られている。しかしながら、このようなマスキング材をそのまま利用したのでは、例えば、建物の外壁を塗装する場合などには種々の不具合が発生するので、マスキング材として種々の改良や、マスキング方法の改良がなされている。
【０００３】
例えば、マスキングシートの表層部に吸液性の紙を配置したマスキングシートが提案されている（例えば、特許文献１参照。）。このようなマスキングシートによれば、養生部分がビニールシートであっても建物の外壁の塗装する場合の塗料の液だれが防止できる。
【０００４】
また、支持体の両面側に粘着剤層が形成された長尺状テープの一方の粘着剤層を露出させて壁面に貼着するテープ貼着工程と、前記テープの他方の粘着剤層を露出させテープを養生紙で覆うテープ被覆工程と、前記テープの一方の辺をマスク境界とし、他方の辺側に養生紙で覆われた領域を存在させ、この領域をマスク面として塗装を行う塗装工程とを具備する塗装壁面のマスキング方法が提案されている（例えば、特許文献２参照。）。このようなマスキング方法によれば、テープのみを養生紙に先行して壁面に貼ることにより、養生紙の貼着に際しては正確な貼着場所を要求されることなくマスキング境界を設定できる。
【０００５】
【特許文献１】
特開平０５−６８９１９号公報
【特許文献２】
特開平１１−５７５５６号公報
【０００６】
【発明が解決しようとする課題】
しかしながら、特許文献１の公報記載のマスキングシートでは、マスク範囲が複雑な形状であれば、マスキングシートをその都度切断や貼り付けを繰り返してその複雑な形状に沿ってマスク範囲に貼り付ける必要がある。
【０００７】
また、後者の特許文献２の公報記載のマスキング方法によれば、特許文献１と同様に、その都度、粘着剤及び養生紙を切断し、貼着することが必要であり、同様に多大の工数を必要とする。
【０００８】
一方、金属材を複雑な形状に加工してマスキング材として利用することも考えられるが、マスキング材を全て金属で作成すると、金属は重量も重いので、外壁面に沿った大きなマスキング材を作製すると、重量が重くなり取り扱い性が極端に悪くなる。また、金属材料をマスキングシートとして使用すると、端縁が鋭利と成りやすく、塗装面を傷つけたり、また、場合によっては作業者を傷つけることもある。
【０００９】
そこで、本発明は、作業性よく使えることができるマスキング材を提供することを目的とする。また、本発明は、塗装不要部の模様が複雑な場合であっても、作業性よく使えることができるマスキング材を提供することを目的とする。
【００１０】
【課題を解決するための手段】
上記課題を解決するために、請求項１に記載された発明では、塗装時に塗装不要部を遮蔽するためのマスキング材であって、遮蔽するべきマスキング範囲に合致した形状のマスキングシートと、該マスキングシートの平面性を維持するフレーム材を備えるマスキング材である。
【００１１】
このように構成すれば、このようなマスキング材は、マスキングシートを塗装不要部に沿って配設した後に塗装を行い、塗装後にマスキング材を取り外すことにより塗装不要部のみをマスクして塗装を行うことができる。このようなマスキング材を用いれば、塗装不要部の模様が同一であれば、同一マスキング材を繰り返して使用することもできる。また、マスキングシートがフレーム材により平面を維持されて構成されているので、軽量化が図れる。これにより、作業性よく使えることができるマスキング材を提供することができる。
【００１２】
請求項２記載の発明は、前記マスキングシートは合成樹脂製であり、かつ、該マスキングシート外縁部は、前記塗装不要部の平面視形状に対応して平面視凹凸模様が形成されていることを特徴とする請求項１記載のマスキング材である。
【００１３】
このように構成すれば、マスク面は合成樹脂製であるので、塗装面や作業者を傷つけるおそれがない。また、加工が容易であるので、マスキング範囲の形状が複雑となっても低コストで作成することができる。また、合成樹脂製であるので、全体として軽量化が図れる。
【００１４】
これにより、請求項１記載の作用効果に加えて、塗装不要部の模様が複雑な場合であっても、作業性よく使えることができるマスキング材を提供することができる。
【００１５】
請求項３記載の発明は、前記外周縁から延設されて折り曲げることにより前記マスキングシートの外周縁を補強する補強縁が設けられていることを特徴とする請求項２記載のマスキング材。
【００１６】
このように構成すれば、マスキングシートの厚みを薄くしてもシートの平面性を維持することができる。
【００１７】
また、この補強縁の曲げ方向を外壁面とは離反する方向にすれば、マスキングシートと外壁面とがわずかにその先端で離反することになり、マスキングシートの上から塗装を行っても、塗膜が連続することがないので、マスキング材を取り外した場合の仕上がりをきれいに保つことができる。
【００１８】
請求項４記載の発明は、前記配設支持部材は、箱形の建物ユニットの外壁出隅部に嵌合する入隅形状を有し、該配設支持部材の上端には前記外壁出隅部の頂部へ係止するための係止部が設けられていることを特徴とする請求項１記載のマスキング材である。
【００１９】
このように構成すれば、箱形の建物ユニットを工場で大量生産する場合などにマスキング材を繰り返し使用することができる。また、この場合、建物ユニットのコーナー部への係止部が設けられているので、係止部へマスキング材を係止するだけでマスキング材を所定の位置に配設することができる。これにより、作業性及び取り扱い性は一層改善される。
【００２０】
【発明の実施の形態】
以下、本発明の実施の形態について建物ユニットＵの外壁を塗装する例について図面に基づいて説明する。
【００２１】
このような建物ユニットＵは工場で生産され、棟上げ工事に合わせて大型のフォークリフトで専門の輸送トラックに積み込まれて出荷される。工場から出荷された建物ユニットＵは、建築現場でボルト、接合金物（ジョイントプレートなど）及び釘を用いて組み立てられて棟上げ作業が進められてユニット建物が組み立てられる。
【００２２】
ここで、各建物ユニットＵは、４本の柱の上下端間を梁で連結してなるボックスラーメン構造の鉄骨枠に面パネルを取り付けた鉄骨系の建物ユニットであってもよいし、面パネルを箱状に組み合わせてなる木質系の建物ユニットであってもよい。
【００２３】
塗装工程は自動化が容易であるのに対して、外壁にタイルを貼り付ける作業は、自動化が困難である。そこで、このような建物ユニットでは、塗装後にタイル貼りを行うことが好ましいと考えられる。しかしながら、塗装面へタイルを貼着させる場合には、塗装の種類によってはタイルへの接着性が劣る場合がある。
【００２４】
そこで、この発明の実施の形態では、建物外壁を塗装後にタイルを貼着できるように、タイルの形に添ってマスクされた状態で外壁面に塗装を施せるコーナ部用のマスキング材を一例として説明する。
【００２５】
なお、以下の説明では、説明の便宜上、図６に示すように、枠組壁工法に従う木質系の建物ユニットＵについて説明する。この枠組壁工法では、不図示の床パネルから壁パネル２１…立設され、隣接する壁パネル２１，２１が接合されて、壁と床の垂直・水平組立てが高精度に行われて構造体としての建物ユニットＵが形成される。
【００２６】
各壁パネル２１の外側が外壁面２２となる。この外壁面２２が交差するコーナ部Ｃに部分的にタイル仕上げを施したい場合が想定されている。そこで、タイル貼りをしたい部分には、塗装前に部分的にマスキング材によりマスクすることで、塗装面に塗装不要部２２ａを形成することが要望されている。
【００２７】
図１は、このような要望に応える本発明に係るマスキング材１の一例を組み立て構成図により示している。このマスキング材１は、図３に示す合成樹脂シート製のマスキングシート１０と図２に示すアルミニウムなどの軽量部材製のフレーム材２とから大略構成されている。
【００２８】
このマスキングシート１０は、例えば、厚み０．４ｍｍ程度のポリプロピレン製シートが所定の大きさに裁断されたものである。上縁１１から下縁１２までの長さは建物ユニットＵの外壁面の長さ（例えば、２．５〜３ｍ程度の範囲内で規格化された長さ）と大略一致されている。両側縁には凸縁１４、凹縁１５とから形成される凹凸縁１３が形成されている。
【００２９】
長手方向の中央に沿ってコーナ部Ｃに沿って折りたたむための中央折り目線１７が図示されているが、この中央折り目線は折りたたむ際の目安であるので、実際に縦方向に沿って線が引かれていてもいなくてもよい。なお、この中央折り目線１７に沿って折り易く加工されていてもよい。
【００３０】
一方、フレーム材２は、マスキングシート（又は建物外壁面）の長さに相当した長さの断面がエル字型の３本の縦フレーム３（３ａ、３ｂ、３ｃ）と、その上端及び下端に固定された上フレーム４及び下フレーム５とから大略構成されている。
【００３１】
上フレーム４及び下フレーム５は、それぞれ一対のエル字型のフレーム４ａ、４ｂ及び５ａ、５ｂが直交して組み上げられている。ここで、交差部４ｃ、５ｃはエル字型のフレームを用いる場合には互いに干渉するので図示のように一辺が切り欠かれて組み上げられる。
【００３２】
中央の縦フレーム３ｃは、エル字の内側が交差部５ｃに内接し、交差部４ｃに外接して接合されている。また、これにより、他の縦フレーム３ａ、３ｂも同様に上フレーム４（４ａ、４ｂ）に外接し、下フレーム５（５ａ、５ｂ）に内接して接合されている。各縦フレーム３ａ〜３ｃ間には、縦長のフレーム材２を補強するために適宜の間隔で補強プレート６（図では１箇所であるが数カ所でもよい。）が直交して固定されている。
【００３３】
また、上フレーム４ａ、４ｂ間には、三角形を形成して横架プレート７が横架されている。この横架プレート７は、フレーム材の補強と後述するコーナ部Ｃへの係止部として利用される。
【００３４】
以上に示したマスキングシート１０は、図１に示すように、フレーム材２の内側面２ａに両面粘着テープ等の粘着剤（不図示）により引き剥がし可能に固定することにより、マスキング材１が形成される。
【００３５】
次に、このマスキング材１を用いて建物ユニットＵのコーナ部Ｃにマスク塗装を行う方法について図６を参照しつつ説明する。
【００３６】
まず、外壁面２２は、マスキングを必要としない平吹き塗装などの下塗り塗装が全体に施される。
【００３７】
ついで、マスキング材１を図示のように、建物ユニットＵの頂部のコーナ部Ｃに沿わせて横架プレート７を係止部として引っ掛ける。これにより、フレーム材２の自重によりマスキング材１（マスキングシート１）の内面は外壁面２２に向かって付勢されて、マスキングシート１は外壁面２２にそって貼り付いた状態でマスキング材１が安定して係止される。
【００３８】
ついで、コーナ部を含む外壁に所望の塗装を行う。この塗装は、例えば玉吹き塗装である。パターン付けを行う塗装であってもよい。塗装終了後にマスキング材１を取り外すことによりマスキング材１でマスクされた部分（塗装不要部２２ａ）がマスキングされて塗装されない状態で外壁塗装が行える。
【００３９】
また、このような塗装は何回繰り返してもよい。また、玉吹き塗装面にマスキング材１を用いて仕上げ塗装するなど、塗装の種類を変えることもできる。パターン塗装などを行うためにローラ刷毛を用いる場合などは、ローラ刷毛の塗装方向は、マスキングシート１０がめくれないように、マスキング材１側から外壁面２２に向かって塗装するのがよい。
【００４０】
マスキング材１を取り外した後に適宜乾燥させることにより塗膜が硬化されて塗装が終了できる。
【００４１】
このマスキング材１は、建物ユニットＵの外壁塗装面が同一形状であれば、そのまま他の建物ユニットＵの塗装にも再利用することができる。また、マスキングシート１は粘着剤でのみ固定されているので、引き剥がすことにより新しいマスキングシート１を取り付けることもできる。この場合には、マスキングシート１は図３で示す凹凸模様に変えて別の凹凸模様を有するものを用いることもできる。
【００４２】
このように構成すれば、マスキングシート１０に合成樹脂シートを利用しているので、塗装面としての外壁面２２や作業者人体を傷つけるおそれがない。
【００４３】
また、合成樹脂シートは加工が容易であるので、図３のように所望の凹凸模様を形成させるなど、自由にできる。これにより、マスキング範囲の形状が複雑であっても低コストで提供できる。
【００４４】
また、係止部をコーナ部Ｃの頂部に引っ掛ける構成とすることにより、自重により支持されてこのマスキング材１が安定に外壁面２２に固定することができるので、作業性が良好である。
【００４５】
【変形例】
マスキングシート１０として、図４に示すように、凸縁１４及び凹縁１５に沿って折り目線を介して折り目代１７を設ける。この折り目代１７を外壁面２２に対して外側に折り返す状態でこのマスキングシート１０をフレーム材２に粘着剤により固定する。
【００４６】
このように構成すれば、マスキングシート１０の凹凸縁１３の形態が安定してマスキングシート１０の平面性を維持することができる。また、塗装時には、この折り目代１７が外壁面２２から外側に向けて折り込まれているので、この折り目代１７の先端と外壁面２２との間に空間が生じて玉吹き塗装、パターン塗装などの塗装を行った場合に塗膜が外壁面２２と凹凸縁１３との間で連続することが防止される。これにより、マスキング材１を取り外した場合の塗装面の仕上がりをきれいに保つことができる。
【００４７】
その他の構成及び作用効果は発明の実施の形態と同一乃至は均等であるので詳細な説明は省略する。
【００４８】
【発明の効果】
以上説明してきたように、本発明に従えば、作業性よく使えることができるマスキング材を提供することができる。また、本発明に従えば、塗装不要部の模様が複雑な場合であっても、作業性よく使えることができるマスキング材を提供することができる、という実用的な効果を発揮する。
【図面の簡単な説明】
【図１】本発明の実施の形態に係るマスキング材の組み立て図である。
【図２】図１のマスキング材に用いるフレーム材を説明する斜視図である。
【図３】図１のマスキングシートを説明する平面図である。
【図４】図３のマスキングシートの変形例を説明する部分平面図である。
【図５】図４のマスキングシートの折り目代１７を折り込んだ場合のＸ−Ｘ線で切断した場合の部分断面図である。
【図６】本発明の実施の形態に係るマスキング材を用いて塗装を行う工程を説明する図である。
【符号の説明】
Ｕ：建物ユニット
Ｃ：コーナ部
１：マスキング材
２：フレーム材
２ａ：内側面
３（３ａ、３ｂ、３ｃ）：縦フレーム
４（４ａ、４ｂ）：上フレーム
４ｃ：交差部
５（５ａ）、５ｂ）：下フレーム
５ｃ：交差部
６：補強プレート
７：横架プレート
１０：マスキングシート
１１：上縁
１２：下縁
１３：凹凸縁
１４：凸縁
１５：凹縁
１６：中央折り目線
１７：折り目線
２１：壁パネル
２２：外壁面（被塗装面又は塗装面）
２２ａ：塗装不要部（マスキング範囲）
【図１】
2004154616.tif 000003
【図２】
2004154616.tif 000004
【図３】
2004154616.tif 000005
【図４】
2004154616.tif 000006
【図５】
2004154616.tif 000007
【図６】
2004154616.tif 000008